(57)【要約】【課題】ビデオブログシステムを提供する。【解決手段】ビデオブログシステムは、ユーザーが時間順序排列によるビデオセグメントをオンラインで表示できるようにし、使い勝手がよいインターフェース、及び、システムで、ユーザーは、個人のウェブ空間でビデオ或いはその他のマルチメディアファイルを公開することができ、ビデオを使用者現地のコンピュータ中に記録する必要がなく、直接ビデオを中央サーバに記録し、その後、ファイル転送プロトコルによりファイルを伝送する。いかなるフォーマットのビデオファイルも伝送でき、中央サーバで自動的に現地のコード化を実行し、オリジナルフォーマットを共通フォーマットに変換し、全使用者がビデオを見ることができる。この他、ビデオ中に、ビデオ効果を自動追加し、効果の程度、及び、各種パラメータを選択でき、メタタグを追加して、ビデオの検索に便利、ユーザーは、ビデオブログを便利にカスタマイズし、背景をオーダーメイドすることもできる。【選択図】図１
2007213547.tif 000002
【特許請求の範囲】
【請求項１】
ビデオブログシステムであって、
ユーザービデオを表示するビデオ表示領域と、
前記ユーザービデオの説明を含むテキスト記述領域と、
その他のユーザービデオの画面プレビューとアクセスを提供するビデオファイル画面プレビュー領域と、
日時排列によるその他のユーザーのビデオアクセスを提供するエントリーカレンダーと、
からなることを特徴とするビデオブログシステム。
【請求項２】
更に、ビデオカテゴリー領域を含み、カテゴリーにより選択されたビデオへのアクセスを提供することを特徴とする請求項１に記載のビデオブログシステム。
【請求項３】
更に、ユーザーコメント領域を含み、複数のユーザーが前記ユーザービデオに対しコメントを提供できるようにすることを特徴とする請求項１に記載のビデオブログシステム。
【請求項４】
更に、コメントリスト領域を含み、前記ユーザービデオに対する複数のユーザーコメントを表示することを特徴とする請求項１に記載のビデオブログシステム。
【請求項５】
更に、ビデオ共有領域を含み、前記ユーザービデオのURL（universal resource locator）を表示することを特徴とする請求項１に記載のビデオブログシステム。
【請求項６】
前記ユーザーコメントは文字であることを特徴とする請求項４に記載のビデオブログシステム。
【請求項７】
前記ユーザーコメントはマルチメディアフォーマットであることを特徴とする請求項４に記載のビデオブログシステム。
【請求項８】
前記ユーザービデオは、直接、中央サーバに記録されることを特徴とする請求項１に記載のビデオブログシステム。
【請求項９】
前記ユーザービデオは中央サーバに伝送されることを特徴とする請求項１に記載のビデオブログシステム。
【請求項１０】
ビデオブログシステムであって、
ユーザービデオを表示するビデオ表示領域と、
前記ユーザービデオの説明を含むテキスト記述領域と、
その他のユーザービデオの画面プレビューへのアクセスを提供するビデオファイルプレビュー領域と、
日時排列によるその他のユーザーのビデオアクセスを提供するエントリーカレンダーと、
カテゴリーにより選択されたユーザービデオへのアクセスを提供するビデオカテゴリー領域と、
複数のユーザーが前記ユーザービデオに対しコメントを提供できるようにするユーザーコメント領域と、
前記ユーザービデオに対する複数のユーザーコメントを表示するコメントリスト領域と、からなることを特徴とするビデオブログシステム。
【発明の詳細な説明】
【技術分野】
【０００１】
本発明は、ブログシステムに関するものであって、特に、ウェブベースビデオブログに関し、ユーザービデオセグメントをブログ中で公開すると共に、ネット上の現況画像、或いは、マルチメディア映像を構築することができるブログシステムに関するものである。
【背景技術】
【０００２】
現行では、個人はウェブサイトを立ち上げて、自己紹介をしたり、提供する製品、或いは、サービスを掲載している。これらの種類のウェブサイトは安定趨勢にあり、幅広く、文字やパターンを応用している。しかし、この種のウェブサイトはカスタマイズの特質に欠け、ユーザーはまもなく飽きてしまい、閲覧を停止して、このサイトを離れ、再び戻ることは少ない。
【０００３】
ウェブ、或いは、ブログ（BLOG）は、自己紹介をする特殊なタイプのウェブサイトである。この種のウェブサイトは公知形式の日誌、或いは、連載記事が、時間順序排列に基づき記録される。ユーザーはテキストを伝送し、彼らの計画や近日参加する活動などをウェブサイト中に書き入れる。しかし、実際、この種のウェブサイトは、ユーザーの文章表現能力に依存するところがあり、それが個人特質に勝っている。よって、ユーザーは彼ら自身の特質を的確に表現するのは非常に困難なことである。
【０００４】
これにより、ビデオセグメントの使用、或いは、マルチメディアファイルの追加により、ユーザーのパーソナリティを的確に表現できるようなブログシステムが必要とされる。
【発明の開示】
【発明が解決しようとする課題】
【０００５】
本発明は、ウェブベースビデオブログ（web-based video BLOG (VLOG)）システムを提供し、ユーザーが、ネット上で時間順序排列で記録されたフォーマットのビデオセグメント（segments）を表示できるようにすることを目的とする。
【０００６】
本発明は、使い勝手がよいインターフェース、及び、システムであるウェブベースビデオブログシステムを提供し、ユーザーは、容易、且つ、便利に、個人ウェブ空間で、ビデオ、或いは、その他のマルチメディアファイルを発表することができるようにすることをもう一つの目的とする。
【課題を解決するための手段】
【０００７】
本発明は、ユーザーが、ビデオをユーザーが使用する現地のコンピュータ中に記録する必要がなく、直接、ビデオを、中央サーバ、或いは、その他のサーバに記録して、ファイル転送プロトコル（FTP）、或いは、その他のシステムによりファイルを伝送することができる。これにより、ユーザーはビデオ取り込み装置を別に用意する必要がない。ユーザーは、簡単にコード化でき、彼らのカメラにより取り込んだビデオ画像を直接サーバに伝送することができる。
【０００８】
この他、ユーザーは希望があれば、mpg、mpeg、rm、wmv、mov等のファイルフォーマットのビデオファイルを伝送できる。その後、サーバ上で自動的に現地コード化し、オリジナルフォーマットを共通フォーマットに転換して、全てのユーザーが見られるビデオにする。
【０００９】
オンラインビデオコード化メニューを使用する時、本発明は、ユーザーが各種フィルターを使用し、自動的に、ビデオ効果を彼らのビデオ中に追加することが出来る。この他、ユーザーは、効果の程度と効果の各種パラメータを選択することができる。
【００１０】
本発明は、ユーザーが、各種タグ、メタタグ(meta-tags)を追加することができ、タイトル、標題、作者、日時、使用日時等により、ビデオの検索や所在場所の特定ができる。
【００１１】
この他、ユーザーは、彼らのビデオブログ（VLOG）を便利にカスタマイズすることができ、他にも、例えば、背景パターン、色、字体、配置等のオブジェクトを設定することができ、いかなるプログラムも不要である。ユーザーは、簡単に、所定範囲内のメニューを選択し、ウェブサイトの設定を変更することができる。
【００１２】
本発明の一部分は、ユーザーが自分でシミュレーションTVチャンネルを構築し、カスタマイズ選択、或いは、コード化するビデオセグメントを、その他のユーザーに提供することができるようにする。ビデオプレイリストによって、連続したビデオシリーズを再生することができる。
【発明の効果】
【００１３】
本発明のウェブベースビデオブログは、ユーザーが、ネット上で時間順序排列で記録されたフォーマットのビデオセグメントを表示できるという利点がある。
【発明を実施するための最良の形態】
【００１４】
図１は、本発明の実施例によるビデオブログ（VLOG）を説明する図である。
【００１５】
図１で示されるように、VLOG１００は、ビデオ表示領域１１０、テキスト記述領域１２０、ビデオファイルプレビュー領域１３０、エントリーカレンダー１４０、ビデオカテゴリー領域１５０、ユーザーコメント領域１６０、コメントリスト領域１７０とビデオ共有領域１８０、からなる。
【００１６】
ビデオ表示領域１１０は、毎日のビデオを表示できる。ビデオの再生（playback）は、通常、自動設定され、ユーザーがウェブページを見る時、自動的にビデオ再生を開始する。その他の実施例中、ビデオの再生は、再生ボタンを押して実行する。この表示インターフェースは、更に、多くのビデオ再生を提供する伝送制御ボタンを含む。伝送制御ボタンは、例えば、リピート（repeat）、ミュート（mute）、ポーズ（pause）、停止（stop）、音量（volume）、大画面選択（large screen select）等である。この他、ビデオ再生の進度は、再生バー（progress bar）中に表示される。大画面選択ボタンを押すことにより、ビデオはポップアップ（pop-up）表示領域中に表示され、例えば、１／２画面、３／４画面、或いは、フル画面のサイズになる。
【００１７】
ビデオ表示領域１１０下方はテキスト記述領域１２０である。テキスト記述領域１２０は、ユーザーの提供テキストを含み、ビデオを解説するか、或いは、その他のテキスト情報を伝達する。例えば、テキストは、ビデオや主題の内容、感想、意見に関するものである。
【００１８】
テキスト記述領域１２０底下は、ユーザーコメントコメント領域１６０である。鑑賞者にビデオのコメント反響を提供させる。ユーザーコメント領域１６０のインターフェース配置は、電子メールクライアント（email client）と類似する。コメントは自動的にVLOGのコメントリスト領域１７０中に追加され、コメントリスト領域１７０は、ビデオを見て、提供されたコメントのリストを示す。ユーザーはページ番号をクリックしてウェブサイト中のコメントを探すことができる。
【００１９】
本発明の一実施例中、ユーザーはビデオによりコメント反響を提供することができる。例えば、ユーザーAが彼らのVLOGでビデオを提供して自己紹介する場合、ユーザーBがビデオを録画し、このビデオはユーザーBの紹介と、ユーザーBのユーザーAに対する、或いは、ユーザーAのビデオに対するあらゆるコメントを含む。この実施例は、出会い系サイト、或いは、就職面接タイプのVLOGに最適である。本発明のビデオコメント反響は、ユーザーのコメント覧に個人の性格を記入し、効果のないテキストにだけ頼って表現するのではない。
【００２０】
ビデオ表示領域１１０の右方はビデオプレビュー領域１３０で、前のビデオ画面プレビュー、或いは、静止画面を提供する。ユーザーは容易に特定のビデオのVLOGウェブサイトへジャンプすることができ、プレビュー画面をクリックすることにより、適当なウェブページを表示して、新しいビデオの再生を開始する。
【００２１】
エントリーカレンダー１４０は、毎日追加されるビデオのハイライトを表示する。ユーザーは、日時をクリックすることにより行きたい日時にジャンプする。この他、月ごと、前、後にエントリーカレンダー１４０を調整する。
【００２２】
エントリーカレンダー１４０下方は、ビデオカテゴリー領域１５０で、全てのビデオは、カテゴリーの選択によりアクセスが便利である。ユーザーは彼らの興味のカテゴリーを選択し、新しいウェブページ上で、このカテゴリー内の全てのビデオ画面のプレビューをビデオプレビュー領域中に表示する。且つ、特定されたカテゴリ内のビデオの数はカテゴリータイトルの後に表示される。
【００２３】
ビデオ共有領域１８０中、ビデオのURLを表示することができる。URLはもう一つのウェブページのhtmlファイルにコピーされ、ビデオを新しいウェブページに自動表示することができる。これは、ユーザーが、その他のユーザー、及び、その他のウェブサイトとビデオを共有するのに便利である。
【００２４】
以下では、VLOGの設定と管理を詳しく説明する。図２は、本発明の実施例による、その他のユーザーがビデオをビデオブログに提供することによりファイル管理を実行することを示す図である。図２で示されるように、ファイルデータ管理領域２００は、友人データと思われる情報を提供する。個人のビデオを彼らのVLOGに表示できるだけでなく、友人、或いは、その他のユーザーも同じようにビデオを提供できる。友人データ情報管理領域２００は、ビデオタイトルのデータをビデオタイトルフィールド２１０にリストし、ビデオがダウンロード、或いは、共有された日時をダウンロード、或いは、共有フィールド２２０に表示し、そのメディア製作者、或いは、編集者のフィールド２３０を表示する。これにより、ユーザーは容易に、様々な他人の提供するビデオを管理することができる。更に、ファイルを削除する削除フィールド２４０を提供する。
【００２５】
ウェブページの左側のメニュー中、取得ことができるその他の領域を表示する。これらの領域は、VLOG相関設定２５０、ビデオ日誌管理２５１、個人ウェブショップ管理２５２、個人TVチャンネル管理２５３、ウェブHD（Web  HD）管理２５４、訪問者／発表者２５５、及び、サービスセンター２５６を含む。ユーザーは希望のメニューをクリックして変更できる。
【００２６】
図３は、本発明の実施例によるVLOGの基本設定を示す図である。この基本設定ページ３００は、VLOGをカスタマイズする為のオプションを提供する。VLOGカテゴリー３１０はVLOGサイトの配置類型を定義する。VLOGカテゴリー３１０は、VLOG製作者の職業、趣味、或いは、興味を含むメニューから選択する。例えば、カテゴリーは、デザイナー、作家、音楽家、音楽、芸術、映画等を含む。これは、特定領域に興味があるその他の人にとって、同じ趣味のその他のVLOGを容易に探すことができる。
【００２７】
VLOGを定義するもう一つのメニューは、特性選択メニュー３２０である。ユーザーは彼らがどのような個性の持ち主であるか、彼らがどのような特質を具備しているかを選択することができる。例えば、ハンサムな青年、ロマンチックな淑女、運動スタイル、聡明さ、富創造力等である。ユーザーは、欲しい特性を探すことにより、適当なVLOG製作者を探し出すことができる。
【００２８】
VLOG紹介タイトル領域３３０は、このVLOGを紹介、解説するテキストを含む。相関領域３４０は、ユーザーが更に多くのVLOG相関するデータを提供することができるようにする。テキストは、このウェブサイトのバナーセクション（bunner  section）に表示される。
【００２９】
VLOG  URL（uniform
resource locator）領域３５０は、VLOGのメインウェブページのリソース位置を含む。
【００３０】
気分オプション３６０は、ユーザーに、気分描写により彼らの毎日の感情を描写することができるようにする。例えば、楽しい、悲しい、爆笑中等である。その他の人にユーザーの毎日の気分を知らせるため、ユーザーは彼らのVLOGの気分描写を変更することができる。気分オプション３６０は気分の選択肢をVLOGに追加して、更に多くの有機的（organic）な感情、或いは、グループの雰囲気を創造し、ユーザーが互いに交流することができて、科学技術に隔絶されないようにする。
【００３１】
VLOG設定を全ユーザーに開放し、VLOGの開閉の選択をユーザーに提供する。これは、オープン／プライベート選択メニュー３７０により設定する。よって、会員制の、友人だけのVLOGを構築することができる。
【００３２】
図４は、本発明の一実施例による背景テーマ設定ページ４００を示す図である。ユーザーは、彼らの好みの背景、主題のカテゴリーにより彼らのVLOGを設定できる。一般に、これらの設定は、定義された背景と色見本のプリセットテーマである。ユーザーは実際にプログラムしながらVLOGを容易にカスタマイズすることができる。しかし、本発明のその他の実施例中、ユーザーは彼ら自身の背景、テーマを伝送することができる。得られた背景テーマを背景選択領域中に表示する。ユーザーは簡単に彼らの好きな背景を選択し、VLOGは彼らが選択した背景に設定される。
【００３３】
図５は、本発明の実施例による統計情報５００を説明する図である。ユーザーは速やかに自分のVLOGがどの程度アクセス数や情報量を伴う活動行っているのを見ることができる。統計情報は、今日の訪問者数５１０、先週の訪問者数５１１、累計訪問者数５１２、及び、彼らのVLOGのランキング５１３等を含む。ランキングは、カテゴリー、全部のユーザー、区域、或いは、その他のユーザー情報、或いは、VLOGの製作者により定義される。
【００３４】
ユーザーに、彼らの空間用量に関する統計情報を知らせるために、これらの情報は、総計使用可能空間５１５、使用済み空間５１６、空き空間５１７に表示される。ユーザーは、彼らの全部の空間を監視、管理するのが便利なだけでなく、使用できる残り空間が少ない時、古い、或いは、未使用のファイルを削除することができる。
【００３５】
サイト上のその他の情報は、VLOG中の全部のビデオ日誌篇数５２０、及び、コメント総数５２１に表示される。ユーザーは個別のビデオに対し投票、或いは、評価することができる。ユーザーに人気のあるVLOGのランキングを知らせるために、サイト上に、今日のプラス投票数５２２、総プラス投票数５２４、今日のマイナス投票数５２３、及び、総マイナス投票数５２５を表示する。
【００３６】
図６は、本発明の実施例によるメッセージ管理領域６００を示す図である。
【００３７】
ユーザーは、その他のユーザーが提供するメッセージや反応を管理することができる。このウェブページは、メッセージと相関するビデオタイトル６１０、ビデオのタイプ、或いは、カテゴリー６２０、応答日時６３０、メッセージ者６４０、メッセージ内容６５０をリストする。ユーザーは、動作フィールド６６０において、メッセージ削除、メッセージ保留、或いは、メッセージ返信を選択することができる。
【００３８】
図７は、本発明の実施例によるビデオファイル管理領域７００を示す図である。既に記録された、或いは、伝送されたビデオは、リストにより表示される。ビデオタイトル７１０、ビデオタイプ、或いは、カテゴリー７２０、伝送、或いは、記録日時７３０、ファイル大小７４０、及び、接続状態７５０が表示される。更に、サーチボックス（search  box）７７０中でビデオを検索する。且つ、ユーザーは、直接、動作フィールド７６０中からファイルを編集、或いは、ファイルを削除することができる。
【００３９】
図８は、本発明の実施例によるオンライン録画メニュー８００を示す図である。本発明は、ユーザーに、オンラインでビデオを録画する機能を提供する。簡単なウェブカメラ（web  camera）を使用することにより、直接、ビデオを中央サーバに記録することができる。これは、オフラインにして、ビデオを取り込んだ後伝送する必要がなく、オンライン上でビデオを容易に構築できる。ビデオをVLOGに伝送することができるが、オンライン録画機能により、大幅に便利性を向上することができる。ビデオは、一旦、記録されると、即ちにプレビューすることができる。例えば、ユーザーが録画コンテンツを保存したいなら、ビデオは、VLOGの新しいウェブページに自動追加される。例えば、ユーザーそのコンテンツを保存したくない場合、このビデオを削除して、新しいビデオを再録画することができる。
【００４０】
サイト上に表示されたその他の情報は、録画可能時間の長さ８１０、及び、獲得した使用可能空間容量８１５を含む。
【００４１】
数個のビデオ品質設定の選択は、色あい調整８２０、飽和度調整８３０、及び、明るさ調整８４０を含む。
【００４２】
録画中、ビデオ効果８５０を追加することもできる。本実施例中、ファイアーエフェクトにより説明する。もちろん、その他のビデオ効果を利用してもよく、例えば、拡大、ミラー効果、変形、画素化（pixelate）等である。これは、ユーザーが彼らのビデオを更に面白くし、更に創造力のあるビデオを彼らのVLOGに構築する。ユーザーは発受信効果、或いは、色設定がない場合、リセットボタン８６０により、リセットしてデフォルト設定に戻る。
【００４３】
本発明の実施例中、ユーザーによりビデオ効果を作成することもできる。一旦、作成されたビデオ効果は、作成者だけ使用することができ、或いは、作成者が希望する効果によっては一般ユーザも使用できる。本実施例中、ビデオ効果は、提供者のプラグイン開発セクション（plug-in development section）を利用し、簡単に製作されたプラグインプログラムである。本VLOG発明のその他の領域は、その他のソフトウェア（third  party）なしでもオンラインで完成する。この他、効果製作者は、彼らのビデオ効果を特定のユーザーと共有することができる。
【００４４】
一旦、録画開始ボタン８７０を押すと、オンラインビデオ録画を開始する。ビデオプレビュー会は即時に録画プレビューウィンドウ８８０に表示する。録画終了時、ユーザーはビデオをプレビューし、再録画が必要か、ビデオをVLOGに追加するか選択する。
【００４５】
図９は、本発明の一実施例によるファイルの伝送状態のウェブサイトを説明する図である。ビデオ伝送時、伝動状態ウィンドウ９００により伝送状態を監視すると共に、伝送パーセンテージとサイズを表示して、ユーザーに伝送進度を伝える。本発明の長所は、中央サーバで多くのコード化を得ることができ、ユーザーがいかなるフォーマットのビデオファイルも伝送できるようにすることである。一旦、ファイルが伝送されると、ファイルは標準フォーマットに自動変換される。例えば、ユーザーは、aviフォーマットのファイルを伝送することができ、ファイルはwmiフォーマットに自動変換され、全ユーザーがこのファイルを見ることができる。
【００４６】
図１０は、本発明の実施例によるビデオ説明ページ１０００を示す図である。ビデオを録画、或いは、伝送した後、ユーザーはこのビデオの説明、或いは、カテゴリー情報を追加することができる。この他、文字標題１０１０を提供、表示して、ビデオの標題とすることができる。ビデオ分類１０２０は、多くのカテゴリー種類中から選択でき、例えば、ニュース、教育、娯楽、スポーツ等である。また、媒体類型１０３０を選択でき、例えば、録画番組、テレビ、映画、インターネットカメラなどである。
【００４７】
これらの選択下方は、ビデオコメント欄（comment field）１０４０である。ユーザーは、ビデオに対する解説、或いは、各種説明、或いは、その他情報を追加することができる。ビデオコメント欄１０４０は、ユーザーに、文字メニューを選択できるようにし、例えば、字体、文字の大きさ、太字、斜体字、行端揃え（justification）等である。最後に、ユーザーは、ビデオの製作、或いは、伝送日時１０５０を入力することができる。
【００４８】
一旦、ユーザーが、ビデオ、説明、説明とその他の情報等を含む全情報を入力、受信すると、新しいウェブページを作成するか、VLOG中に追加する。本発明の長所は、これらの過程はオンラインで完成でき、その他のソフトウェアが不要なことである。ビデオは録画され、説明と提供情報が追加されると共に、VLOGに自動追加され、全過程はインターネットブラウザ内でオンラインで完成する。
【００４９】
本発明のVLOGは、幅広いタイプのアプリケーションに適用できる。本発明の実施例中、ネットオークションのVLOGを提供する。オークション商品のビデオは、個別のサイト上で掲載される。出品商品に興味がある者は、ビデオコメント欄か、入札価格受け入れモードにより、彼らの入札を受け入れる。また、ウェブページは、現在の入札価格状態と入札価格過程を表示する。
【００５０】
もう一つの実施例中、VLOGは日記ウェブサイトである。ユーザーは個人のビデオを提供して、自己紹介や彼らの性格や特技の紹介をする。このビデオを見て、ビデオ製作者に会ったり、或いは、連絡を取りたいその他のユーザーは、コメントを加えたり、彼ら自身ビデオコメントで応答したり自己紹介したりできる。これは、日記進行の大きな助けとなり、ユーザーは自分に合う仲間を更に容易に選択することができる。
【００５１】
もう一つの実施例中、VLOGは求職サイトである。求人募集している会社は、募集要項を掲載するVLOGを製作する。応募者はメッセージ、経歴、ビデオ紹介を提供することができる。これは、人事部が潜在能力を有する求職者を効果的に探すことができ、無駄な面接を行う必要がない。
【００５２】
本発明のもう一つの実施例中、ユーザーは登録により主要なVLOGウェブサイトサイトの会員となる時、ユーザーアカウントとともに電子メールアカウントが与えられる。電子メールアカウントは、標準の電子メールアカウント、或いは、プライベートメッセージアカウント（private message account）である。プライベートメッセージアカウントは、VLOGシステム内から発送された情報のメールだけを受信することができる。ユーザーからのメッセージ、或いは、応答はビデオコメント欄に記入でき、或いは、プライベートで元のユーザーに送信することができる。この種の方法を用いて、ユーザーは、ビデオに対し寄せられたメッセージ、或いは、プライベートメッセージをビデオ提供者に渡す。ユーザーは、その他のユーザーからの電子メールを受け取るかどうか選択できる。
【００５３】
ユーザーのアカウント設定が終了すると、ユーザーは彼らの必要な個人データを入力する。例えば、彼らは、名前、年齢、所在地、婚姻状況、趣味、学歴、性別等を提供し、その後、その他のユーザーは、これらの分類により検索することができる。例えば、ユーザーが、彼らが居住する都市に住み、好きな音楽ジャンルが同様のその他のユーザーを検索する場合、このユーザーは、これらの要求を検索し、検索結果ウェブページ中に、これらのパラメータに符合する全ユーザーが表示される。続いて、ユーザーは、多くのVLOGウェブページを訪問することができる。
【００５４】
VLOGは、個人TVチャンネルとして設定することができる。ユーザーはビデオのプレイリストを構築することにより、もう一つのユーザーがこのVLOGを訪問した時、このユーザーは、連続したビデオストリーミングを鑑賞することができる。こうして、ユーザーに更に多くの番組を提供することができる。本発明の実施例中、単独のビデオを各VLOG中に追加する。しかし、個人TVチャンネルの実施例中、訪問者の相互作用は不要で、多くのビデオが一つずつ表示される。ビデオプレイリストを使用するので、複数のビデオの順序を並び替えることができる。よって、高価な放送設備無しに、個人が創造的なコンテンツを発表し、国内外の多くのユーザーがそれらを視聴できる。
【００５５】
本発明のもう一つの実施例中、オンラインチャット機能を提供する。現在ウェブサイトサイトを見ている会員は、オンライン討論、或いは、チャットにより相互交流することが可能である。また、現在見ているこのウェブページの会員リストを表示することができる。これで、会員間でリアルタイムでコミュニケーションがとれ、コミュニティ感覚を提供する。この種の方式を用いると、ユーザーは、共通の趣味を持つその他の人々と接触でき、友人と連絡したりできるので、余計なチャットクライアント（chat  client）が不要である。
【００５６】
本発明の実施例中、ウェブベースフォーラム（web-based forum）を提供する。これは全会員に、様々なトピックの討論、VLOGの推薦、その他の分野についての討論の機会を提供する。このフォーラムは、ユーザーが相互交流でき、新しい情報や彼らが発見していないVLOGを探ることができる。
【００５７】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図面の簡単な説明】
【００５８】
【図１】本発明の実施例によるVLOGを示す図である。
【図２】本発明の実施例による、その他のユーザーにより、ビデオをVLOGに提供してファイル管理を実行することを示した説明図である。
【図３】本発明の実施例によるVLOGの基本設定を示す説明図である。
【図４】本発明の実施例による背景テーマ設定を示す図である。
【図５】本発明の実施例による流量統計を示した説明図である。
【図６】本発明の実施例によるメッセージ管理を示した説明図である。
【図７】本発明の実施例によるビデオファイル管理を示した説明図である。
【図８】本発明の実施例によるオンライン録画メニューを示す図である。を示した説明図である。
【図９】本発明の実施例によるファイルの伝送状態を示した説明図である。
【図１０】本発明の実施例によるビデオ説明ページを示した説明図である。
【符号の説明】
【００５９】
１００    VLOGサイト
１１０    ビデオ表示領域
１２０    テキスト記述領域
１３０    ビデオファイルプレビュー領域
１４０    エントリーカレンダー
１５０    ビデオカテゴリー領域
１６０    ユーザーコメント領域
１７０    コメントリスト領域
１８０    ビデオ共有領域
２００    ファイルデータ管理領域
２１０    ビデオタイトルフィールド
２２０    ダウンロード、或いは、共有フィールド    
２３０    メディア製作者、或いは、編集者のフィールド    
２４０    削除フィールド
２５０    ビデオ日誌管理
２５１    ビデオ日誌管理
２５２    個人ウェブショップ管理
２５３    個人TVチャンネル管理
２５４    ウェブHD（Web  HD）管理
２５５    訪問者／発表者
２５６    サービスセンター
３００    基本設定ページ
３１０    VLOGカテゴリー
３２０    特性選択メニュー
３３０    VLOG紹介タイトル領域
３４０    相関領域
３５０    VLOG  URL領域
３６０    気分オプション
３７０    オープン／プライベート選択メニュー
４００    背景テーマ設定ページ
５００    統計情報
５１０    今日の訪問人数
５１１    先週の訪問人数
５１２    累計訪問人数
５１３    VLOGのランキング
５１５    総計使用可能空間
５１６    使用済み空間
５１７    空き空間
５２０    全部のビデオ日誌篇数
５２１    コメント総数
５２２    今日のプラス投票数
５２３    今日のマイナス投票数
５２４    総プラス投票数
５２５    総マイナス投票数
６００    メッセージ管理領域
６１０    ビデオタイトル
６２０    ビデオのタイプ、或いは、カテゴリー
６３０    反応日時
６４０    メッセージ者
６５０    メッセージ内容
６６０    動作フィールド
７００    ビデオファイル管理領域
７１０    ビデオタイトル
７２０    ビデオタイプ、或いは、カテゴリー
７３０    伝送、或いは、記録日時
７４０    ファイルサイズ
７５０    接続状態
７６０    動作フィールド
７７０    サーチボックス
８００    オンライン録画メニュー
８１０    録画可能時間の長さ
８１５    使用可能空間容量
８２０    色あい調整
８３０    飽和度調整
８４０    明るさ調整
８５０    ビデオ効果
８６０    リセットボタン
８７０    録画開始ボタン
８８０    録画プレビューウィンドウ
９００    伝送状態ウィンドウ
１０００  ビデオ説明ページ
１０１０  テキストタイトル
１０２０  ビデオ分類
１０３０  メディアタイプ
１０４０  ビデオコメント欄
１０５０  ビデオの製作、或いは、伝送日時
【図１】
2007213547.tif 000003
【図２】
2007213547.tif 000004
【図３】
2007213547.tif 000005
【図４】
2007213547.tif 000006
【図５】
2007213547.tif 000007
【図６】
2007213547.tif 000008
【図７】
2007213547.tif 000009
【図８】
2007213547.tif 000010
【図９】
2007213547.tif 000011
【図１０】
2007213547.tif 000012